(57)【特許請求の範囲】
【請求項１】
コネクタ部の実装された基板を収容するとともに前記コネクタ部に対するケーブル接続用の開口部を背面に有する筐体が前記開口部を露出して前扉の裏面に取り付けられた自動販売機であって、
前記開口部の上端縁部には、前記筐体の外側に向け下方に傾斜した外方傾斜部を少なくとも有した庇部が形成され、
前記庇部は、前記筐体の外側から内側に向け下側に傾斜するとともに、前記外方傾斜部に連なる内方傾斜部を有することを特徴とする自動販売機。
【請求項２】
前記外方傾斜部の下端部は前記筐体背面と面一であることを特徴とする請求項１に記載の自動販売機。
【請求項３】
前記外方傾斜部の下端部は前記筐体背面から突出していることを特徴とする請求項１に記載の自動販売機。
【請求項４】
前扉の前面において商品に関する情報の表示を行うとともに前記前扉の裏面に取り付けられた自動販売機の表示装置であって、
コネクタ部が実装された基板と、
前記基板が収容されるとともに前記コネクタ部に対するケーブル接続用の開口部を有する筐体とを備え、
前記開口部の上端縁部には、前記筐体の外側に向け下方に傾斜した外方傾斜部を少なくとも有した庇部が形成され、
前記庇部は、前記筐体の外側から内側に向け下側に傾斜するとともに、前記外方傾斜部に連なる内方傾斜部を有することを特徴とする自動販売機の表示装置。
【発明の詳細な説明】
【技術分野】
【０００１】
本発明は自動販売機及びその表示装置に関し、例えば自動販売機に投入された金額を前扉の前面において表示する金額表示器等の表示装置に関する。
【背景技術】
【０００２】
この種の表示装置には、自動販売機において投入された金額を前扉の前面において表示する金額表示器が知られている。金額表示器の筐体には背面にコネクタ部が実装された基板が収容され、筐体の背面にはコネクタ部のケーブル接続用に開口された開口部が形成されている（例えば特許文献１参照）。
【先行技術文献】
【特許文献】
【０００３】
【特許文献１】特開平７−２７２０７６号公報
【発明の概要】
【発明が解決しようとする課題】
【０００４】
このような金額表示器では、自動販売機の前扉の開閉時に前扉の上部等に付着した雨水等が飛散し、水滴が金額表示器の筐体背面に付着することがある。筐体背面に付着した水滴は当該背面を垂れて流下し、開口部から筐体内に侵入し、コネクタ部を伝わって基板に到達すると基板がショートして延焼するおそれがある。
本発明は上述の事情に基づいてなされたもので、その目的とするところは、筐体の開口部に簡単な構成で且つ効果的な防水対策を施すことにより、信頼性を高めた自動販売機及びその表示装置を提供することにある。
【課題を解決するための手段】
【０００５】
上記の目的を達成するため、本発明の自動販売機は、コネクタ部の実装された基板を収容するとともにコネクタ部に対するケーブル接続用の開口部を背面に有する筐体が前記開口部を露出して前扉の裏面に取り付けられた自動販売機であって、前記開口部の上端縁部には、前記筐体の外側に向けて下方に傾斜した外方傾斜部を少なくとも有した庇部が形成され、前記庇部は、前記筐体の外側から内側に向けて下方に傾斜するとともに、前記外方傾斜部に連なる内方傾斜部を有することを特徴としている（請求項１）。
【０００６】
好ましくは、前記外方傾斜部の下端部は前記筐体背面と面一である（請求項２）。
好ましくは、前記外方傾斜部の下端部は前記筐体背面から突出している（請求項３）。
また、本発明の自動販売機の表示装置は、前扉の前面において商品に関する情報の表示を行うとともに前記前扉の裏面に取り付けられた自動販売機の表示装置であって、コネクタ部が実装された基板と、前記基板が収容されるとともに前記コネクタ部に対するケーブル接続用の開口部を有する筐体とを備え、前記開口部の上端縁部には、前記筐体の外側に向け下方に傾斜した外方傾斜部を少なくとも有した庇部が形成され、前記庇部は、前記筐体の外側から内側に向けて下方に傾斜するとともに、前記外方傾斜部に連なる内方傾斜部を有することを特徴としている（請求項４）。
【発明の効果】
【０００７】
本発明の自動販売機によれば、開口部の上端縁部に筐体の外側に向け下方に傾斜した外方傾斜部を少なくとも有した庇部が形成されていることにより、自動販売機の前扉の開閉時に前扉の上部等に付着した雨水等が飛散して筐体背面に付着したとしても、当該背面を垂れて流下する水滴をその自重で筐体背面側外方に導くことができる。従って、開口部から筐体内への水滴の侵入を防止することができるため、水滴がコネクタ部を伝って基板に到達し、基板がショートして延焼するのを防止することができ、自動販売機の信頼性を高めることができる。
【０００８】
また、本発明によれば、庇部が筐体の外側から内側に向け下方に傾斜するとともに、外方傾斜部に連なる内方傾斜部を有することにより、筐体背面を垂れて流下する水滴の流速を外方傾斜部に到達する前に低減することができるため、外方傾斜部に到達した水滴が筐体背面側外方に飛散するのを抑制することができる。従って、自動販売機内において表示装置の筐体背面側に存在する他の装置に水滴が付着するのを抑制することができるため、自動販売機の信頼性を更に高めることができる（請求項１）。
【０００９】
また、外方傾斜部の下端部が筐体背面と面一であることにより、庇部の追加によっても筐体の奥行きの寸法は変わらないため、自動販売機内において表示装置の筐体背面側に存在する他の装置の配置及び寸法に影響を与えることなく表示装置に対し効果的な防水対策を施すことができる（請求項２）。
また、本発明によれば、外方傾斜部の下端部が筐体背面から突出していることにより、外方傾斜部から導かれた水滴をより確実に筐体背面側外方に導くことができるため、表示装置に対してより一層効果的な防水対策を施すことができる（請求項３）。
【００１０】
また、本発明の自動販売機の表示装置によれば、上述したように筐体背面に付着し、当該背面を垂れて流下する水滴をその自重で筐体背面側外方に導くことができるため、開口部から筐体内への水滴の侵入を防止することができ、基板がショートして延焼するのを防止することができ、信頼性の高い自動販売機の表示装置を提供することができる。
また、外方傾斜部の下端部が筐体背面と面一であることにより、庇部の追加によっても筐体の奥行きの寸法は変わらないため、自動販売機内において表示装置の筐体背面側に存在する他の装置の配置及び寸法に影響を与えることなく表示装置に対し効果的な防水対策を施すことができる（請求項４）。
【図面の簡単な説明】
【００１１】
【図１】本発明の一実施形態に係る金額表示器が組み込まれた自動販売機の全体斜視図である。
【図２】図１の自動販売機の前扉を開けた状態を示す斜視図である。
【図３】図１の金額表示器の分解斜視図である。
【図４】図３のプリント基板のみが収容された状態の支持枠体を図３のＡ−Ａ方向から見た横断面図である。
【図５】図４のプリント基板のみが収容された状態の支持枠体を図４のＢ−Ｂ方向から見た縦断面図である。
【発明を実施するための形態】
【００１２】
以下に本発明の一実施形態に係る自動販売機及びその表示装置である金額表示器について図面を参照して説明する。
図１は当該金額表示器（表示装置）１が組み込まれた自動販売機２の全体斜視図を示す。自動販売機２には前扉４が取り付けられ、前扉４の前面４ａの上部側には、缶飲料などの商品６を購入する購入者が購入時に正対する接客面８が形成されている。
【００１３】
接客面８の内側には、各商品６に対応する商品見本１０が展示され、接客面８における各商品見本１０の下方には、各商品見本１０に対応する商品選択ボタン１２及び商品情報表示部１４がそれぞれ設けられている。また、前扉４の前面４ａの中間部には、商品６の料金を投入するための料金投入部１６、料金を返金させるための返金レバー１８、投入金額を表示するための金額表示器１などが設けられている。また、前扉２の前面４ａの下部側には、商品４が払い出される商品取出口２０、釣り銭が払い出される釣り銭取出口２２などが設けられている。
【００１４】
図２は自動販売機２の前扉４を開けた状態を示す斜視図を示す。自動販売機２は、同種の商品６が収納される商品収納庫２４を複数備えている。前扉４の内側には、各商品収納部２４の商品補充口２６を含む開口部全体を開閉する内扉２８が取り付けられている。前扉４の裏面４ｂには、自動販売機２の各種設定を行ったり当該設定状態を表示したりする表示入力設定部３０が設けられている。
【００１５】
また、裏面４ｂには金額表示器１の背面（筐体背面）３８ｃや料金投入部１６及び返金レバー１８の背面１６ａ等が露出されている。背面１ａ、１６ａには金額表示器１と自動販売機２内に設置された他の装置（不図示の電源装置、制御装置、硬貨処理装置等）とを接続する図示しないケーブルが接続される。
図３は金額表示器１の分解斜視図を示す。金額表示器１は、何れも矩形状をなす保護カバー３２、前面カバー３４、プリント基板（基板）３６、及び支持枠体（筐体）３８を前側から順次重ねた１つのユニットとして構成されている。
【００１６】
保護カバー３２は、透明性を有する樹脂材料等から形成され、支持枠体３８に係合することで前面カバー３４及びプリント基板３６を収容するための１つの筐体４０を構成している。
前面カバー３４は、その前面３４ａが文字部分を透明にした印字シートで構成され、前面カバー３４の内部は穿孔加工が適宜施され、プリント基板３６の前面３６ａにおける各実装部の表示が前面３４ａに配された各表示枠内に適切に表示される。
【００１７】
プリント基板３６は、その前面３６ａに金額表示部４２やデータ通信部４４、その他図示しない販売中ランプ、お札使用不可ランプ、釣銭切れランプ等が実装され、背面３６ｂには外部接続用の接続ピン４６ａを有するコネクタ部４６や、図示しないＩＣチップ、スピーカー等が実装されている。
支持枠体３８は、前面全開口の有底形状をなし、その前面開口部３８ａからプリント基板３６、前面カバー３４が順次収容される。
【００１８】
支持枠体３８の背面部３８ｂには、４つの隅部に支持枠体３８の深さ方向の中途に至る高さで支持部４８が立設され、各支持部４８にプリント基板３６の４つの角部が当接することで支持枠体３８に対するプリント基板３６の位置決めが可能になるとともに、プリント基板３６と背面部３８ｂとの間にプリント基板３６排熱用の空間が確保される。
図４はプリント基板３６のみが収容された状態の支持枠体３８を図３のＡ−Ａ方向から見た横断面図である。支持枠体３８は奥行きＤの寸法を有して形成され、支持枠体３８の背面３８ｃには外部接続用の３つのコネクタ部４６にケーブルを接続するための３つの背面開口部（開口部）５０が各コネクタ部４６に対応する位置に開口されている。
【００１９】
支持部４８は、支持枠体３８にプリント基板３６を収容したとき、コネクタ部４６が背面開口部５０から支持枠体３８の外方に突出せず、且つコネクタ部４６にケーブルを接続するのに支障のない高さに形成されている。
図５はプリント基板３６のみが収容された状態の支持枠体３８を図４のＢ−Ｂ方向から見た縦断面図である。支持枠体３８の背面３８ｃには、背面開口部５０の上端縁部５０ａをその全域に亘って湾曲加工した庇部５２が背面部３８ｂと一体に成形されている。
【００２０】
庇部５２は、背面３８ｃから支持枠体３８の内方に向けて下側に傾斜する内方傾斜部５４と、内方傾斜部５４に連なり、支持枠体３８の外方に向けて下側に傾斜した外方傾斜部）５６とからなるＶ字断面形状をなして形成されている。
外方傾斜部５６の下端部５６ａは、背面３８ｃと面一であるとともに、下端部５６ａの下面５６ｂが水平面となる鋭角断面形状をなして形成されている。
【００２１】
ここで、自動販売機２の前扉４の開閉時には、前扉４の上部等に付着した雨水等が飛散し、稀に図５に示すような水滴５８が支持枠体３８の背面３８ｃに付着することがある。背面３８ｃに付着した水滴５８は自重で背面３８ｃを垂れて流下し、内方傾斜部５４に到達する。水滴５８は内方傾斜部５４においてその流下速度が低減され、内方傾斜部５４から外方傾斜部５６に流下する。外方傾斜部５６に到達した水滴５８は低速で支持枠体３８の背面３８ｃ側の外方に導かれる。
【００２２】
金額表示器１がこのような庇部５２を有することにより、背面開口部５０から筐体４０内への水滴５８の侵入を防止することができるため、水滴５８が接続ピン４６ａに垂れたり、或いは、コネクタ部４６を伝ってプリント基板３６に到達したりすることによってプリント基板３６がショートして延焼するのを防止することができ、自動販売機２の信頼性を高めることができる。
【００２３】
また、庇部５２が内方傾斜部５４を有することにより、背面３８ｃを垂れて流下する水滴５８の流速を外方傾斜部５６に到達する前に低減することができるため、外方傾斜部５６に到達した水滴５８が背面３８ｃ側の外方に飛散するのを抑制することができる。換言すると、水滴５８を外方傾斜部５６の下端部５６ａから直下に垂らすように導くことができる。従って、自動販売機２内において金額表示器１の背面３８ｃ側に存在する他の装置に水滴が付着するのを抑制することができるため、自動販売機２の信頼性を更に高めることができる。
【００２４】
また、外方傾斜部５６の下端部５６ａが背面３８ｃと面一であることにより、庇部５２の追加によっても金額表示器１の奥行きＤの寸法は変わらないため、自動販売機２内において金額表示器１の背面３８ｃ側に存在する他の装置の配置及び寸法に影響を与えることなく金額表示器１に対し効果的な防水対策を施すことができる。
また、下端部５６ａが鋭角断面形状をなすことにより、外方傾斜部５６で導かれた水滴５８が庇部５２の裏面、すなわち外方傾斜部５６の裏面に伝ってコネクタ部４６に流下するのを抑制することができる。特に下面５６ｂが水平面であることにより、コネクタ部４６への水滴５８の流下を、下面５６ｂが内方傾斜面である場合に比して、より効果的に抑制することができる。
【００２５】
本発明は、上述の実施形態に制約されるものではなく種々の変形が可能である。
例えば上記実施形態では、庇部５２は内方傾斜部５４及び外方傾斜部５６からなるＶ字断面形状をなして形成され、これより簡単な構成で効果的な防水効果を得ることができる。しかし、少なくとも庇部５２が外方傾斜部５６を有しているのであれば、防水効果を得ることは可能であるため、内方傾斜部５４が存在しなくても良い。また、庇部５２は必ずしも内方傾斜部５４及び外方傾斜部５６からなるＶ字断面形状に限定されず、種々の形状を採用しても良い。
【００２６】
また、上記実施形態では、外方傾斜部５６の下端部５６ａは背面３８ｃと面一であるが、下端部５６ａを背面３８ｃから若干突出させても良い。これにより、支持枠体３８の奥行きＤはほとんど変わらないまま、外方傾斜部５６から導かれた水滴５８をより確実に背面３８ｃ側外方に導くことができるため、金額表示器１に対しより一層効果的な防水対策を施すことができる。
【００２７】
また、上記実施形態では、下端部５６ａの下面５６ｂは水平面であるが、下面５６ｂを支持枠体３８外に向けて下側に傾斜した外方傾斜面としても良い。これにより、外方傾斜部５６で導かれた水滴５８が庇部５２の裏面、すなわち外方傾斜部５６の裏面に伝ってコネクタ部４６に流下するのを、下面５６ｂが水平面である場合に比して、より一層効果的に抑制することができる。
【００２８】
最後に、上記実施形態では金額表示器１について説明したが、これに限らず、前扉４の前面４ａにおいて商品６に関する表示を行い、プリント基板が収容されるとともに背面が前扉４の裏面４ｂに露出され、該背面にコネクタ部用の開口部を有する筐体を備えていれば、自動販売機１の他の表示装置に本発明を適用できることは勿論である。
【符号の説明】
【００２９】
１    金額表示器（表示装置）
２    自動販売機
４    前扉
４ａ    前面
４ｂ    裏面
６    商品
３６    プリント基板（基板）
３８    支持枠体（筐体）
３８ｃ    背面（筐体背面）
４０    筐体
４６    コネクタ部
５０    背面開口部（開口部）
５０ａ    上端縁部
５２    庇部
５４    外方傾斜部
５６    内方傾斜部
５６ａ    下端部
【図１】
0005875847.tif 000002
【図２】
0005875847.tif 000003
【図３】
0005875847.tif 000004
【図４】
0005875847.tif 000005
【図５】
0005875847.tif 000006